(57)【要約】      （修正有）【課題】夜間や豪雨、豪雪下での傘の視認性を向上して交通事故の予防と、持ち歩き事故を予防でき、視認性が高くスイッチ操作の手間が少ない傘用照明具を提供する。【解決手段】傘の石突き部と，底部に傘の石突きをネジ止めするネジ部と螺合するネジ穴が設けられている本体２とこれに結合した発光部１とを有する。発光部１は、光源と、電源スイッチ４Ｄとを内蔵する。【選択図】図１
0003190470.tif 000002
【実用新案登録請求の範囲】
【請求項１】
傘の石突き部に着脱自在に取り付け可能とした本体部とこれに結合した発光部とを有することを特徴とする傘用照明具。
【請求項２】
前記発光部は、光源と、電源スイッチとを内蔵し、前記本体部には、その底部に傘の石突きをネジ止めするネジ部と螺合するネジ穴が設けられていることを特徴とする請求項１に記載の傘用照具。
【請求項３】
前記発光部は、光源と、電源スイッチとを内蔵し、前記本体部と前期発光部には傘の石突きを挿入して固定する連通穴が設けられていることを特徴とする請求項１に記載の傘用照具。
【請求項４】
傘のシャフトの角度が水平に対し仰角のときはＯＮし、俯角のときはＯＦＦする機能を有する角度スイッチを更に内臓することを特徴とする請求項１〜３のいずれか一項に記載の傘用照具。
【請求項５】
本体部と発光部が融着一体化していることを特徴とする請求項１〜４のいずれか一項に記載の傘用照具。
(１／５)
【考案の詳細な説明】
【技術分野】
【０００１】
本考案は、傘用照明具に関する。
【背景技術】
【０００２】
従来の光る傘は、通行車両の運転者に傘の存在を認識させて歩行者の安全を確保する
事を目的として作られたものである。
従って、前記安全性の高い傘が欲しい人は発光装置を一体化した、いわゆる光る傘製品の中から好みの物を選ぶしかなく、発光機能の無い普通の傘の中から気に入った傘を選ぶ様な選択幅の広さが無い上、好みの傘を簡単な改造で光る傘にして前期安全性の向上ができるものはなかった。（特許文献１〜３参照）
【０００３】
傘の安全性の問題は、夜間の雨降り時等に車両運転者から見ると傘をさした歩行者が見
難いこと、すなわち車両運転者の視認性が悪いと言う問題と、傘を横抱えして水平から上向きにして持ち歩くことによる対面歩行者に与える怪我の問題に大別される。
前者は光る傘によって改善が図られ、後者は石突きの鈍角化や短小化で対処されている。
しかし、所有する発光機能の無い普通の傘の一部改造によって前記持ち歩き時の事故を予防をする、あるいは豪雨、豪雪中でも光る傘同様の視認性を有して事故の予防が出来る傘用の照明具は無かった。    
【先行技術文献】
【特許文献】
【０００４】
【特許文献１】特開２００５−２９６５５３号公報
【特許文献２】特開平１１−３１８５２４号公報
【特許文献３】実用新案登録第３１８７７７８号公報
【考案の概要】
【考案が解決しようとする課題】
【０００５】
本考案は、発光機能のない傘にＯＮ、ＯＦＦ操作の手間が少ない照明具を付けて光る傘化する事により、夜間や豪雨、豪雪下での傘の視認性を向上して交通事故の予防と、前記持ち歩き事故を予防できるもの、すなわち、上記視認性が高くスイッチ操作の手間が少ない傘用の照明具の提供を課題とする。
【課題を解決するための手段】
【０００６】
傘用照明具は防水型が好ましい。
発光部および本体は単一素材で形成するのが好ましいが、複数素材を組合せてもよい。
照明具本体は、樹脂材やゴム材等の弾性材が好ましいが他の素材を用いてもよい。
本体は、分割可能な構造が好ましいが一体形でもよい。  
本考案の融着一体化とは本体と発光部を融着して一体化したものをいう。
【０００７】
照明具は、電源スイッチ付きが好ましいが電源スイッチを省略してもよい。
照明具は、電池交換可能型が好ましいが交換が出来ない使い捨て型でもよい。
光源は、ＬＥＤが好ましいが豆電球やミニクリプトン球等、他のものでもよい。
【０００８】
光源は、赤や橙色ＬＥＤが好ましいが青色等他の色や三色ＬＥＤを用いてもよい。
光源は、少なくとも単体で使用するのが好ましいが複数を組合せてもよい。
ＬＥＤ光源は単色で点滅させるのが好ましいが、複数循環点滅させても常灯してもよい。
【考案の効果】
【０００９】
本考案の照明具は、発光機能のない傘を簡単な改造で光る傘同等の視認性を持たせるもので、本改造により夜間や豪雨、豪雪下における前記交通事故や持ち歩きによる事故の予防とスイッチ操作の簡便化に効果を有する。
【図面の簡単な説明】
【００１０】
【図１】実施例１、傘用照明具の全体図
【図２】図１のＵ−Ｕ’の断面図
【図３】実施例２、傘用照明具ＩＩ  の全体図
【図４】図３のＶ−Ｖ’の断面図
【図５】図３のＷ−Ｗ’の断面図
【図６】照明具乃至Ｉ〜ＩＩの回路図
【考案を実施するための形態】
【００１１】
以下、図面を使って説明する。
図１および図２による実施例１は、石突きと交換できる傘用の照明具で、発行部１、
本体２、ＬＥＤ光源３、電源スイッチ４Ｄおよび本体が水平より仰角ならＯＮ，俯角なら
ＯＦＦする機能を有するスイッチ（以下、これを角度スイッチという。）４Ｋにより概
略構成する。
【００１２】
照明具は、発光部下側の接合部１Ｎと本体上側の接合部２Ｎを螺合したもので、該
１Ｎと２Ｎを分離すれば電池交換が出来る。
光拡散用の内部空間１Ｅを備えた発光部１には、電池５を内包した電池ケース５Ｃと電源
スイッチ４Ｄと角度スイッチ４Ｋが設けられている。
内部空間１ＥにはＬＥＤ光源の指向性の強い光の放射方向を変えるための凸部１Etを設
けて横方向への放射光を増やしている。
電源スイッチ４Ｄは、本来傘の使用開始時にＯＮして、終了時にＯＦＦするもので傘使用中のＯＮ、ＯＦＦは角度スイッチ４Ｋを用いる。
すなわち、照明具を付けた傘を上向きに開いて使えば角度スイッチ４Ｋが仰角で自動
的にＯＮとなり、傘を閉じて提げれば俯角でＯＦＦと成るので、傘開閉の都度電源スイッ
チ４Ｄの操作をしなくて済み、また終了時のＯＦＦを忘れても、例えば閉じた傘を傘立て
に立てれば角度スイッチ４Ｋが俯角でＯＦＦと成り電池の無駄使いを防ぐことが出来る。
さらに、水平より少し上向きになる角度で傘を横抱えして歩いても、角度スイッチ４Ｋ
がＯＮになり赤色ＬＥＤが点滅するので対面歩行者への警告となり、前記持ち歩き事故
を予防する。
赤色ＬＥＤ３を備えた電池ケース５Ｃは、内包した電池５の交換ができる様に発光部１に抜き差し可能な形で（図示を使用略）取り付けられている。
【００１３】
上記による傘用照明具は、石突き接合部２Ｍを傘の石突きをネジ止めしているネジ部に螺合することにより、普通の傘が発光機能を備えて光る傘同等の安全性を有する傘になる。
すなわち、濃霧や豪雨、豪雪下でも多方向から傘歩行者がさした傘の存在が確認できる
ので前記事故の予防が出来る安全性の高い傘に成る。
【００１４】
実施例２は、石突きが固定されていて交換できない傘用の照明具ＩＩ  である。
図３乃至図５による照明具ＩＩ  は、中心に石突きを通す連通穴２１Ｈを設けて、透明カバー２１Ｃで覆われたＬＥＤと導光体２１Ｒを備えた光源２３と電池２５と電源スイッチ２４Ｄと角度スイッチ２４Ｋとを備えた発光部２１、および連通穴２２Ｈを設けた本体２２によって概略構成する。
【００１５】
照明具ＩＩ  は、発光部２１と本体２２を接合部２１Ｎと２２Ｎで螺合一体化したもので、発光部２１の上部と本体２２の下部には、石突きの形状に合せて照明具ＩＩ  を固定する為の固定具２１Ｆと２２Ｆを収納する凹部が設けられていて、該２１Ｆと２２Ｆを用いて多種類の石突き形状に対応できるものにしている。
発光部２１は、上部の透明カバー２１Ｃ内に橙色ＬＥＤ光源と反射シートと円形の導光体２１Ｒを一体化した光源２３が設けられ、さらに電源スイッチ２４Ｄおよび縦形に組み付けられた角度スイッチと２４Ｋと電池２５が設けられている。
尚、３箇所に配置された電池２５は、約４０％を露出させて電池交換を簡便化すると共
に本体２２の上部に所定の空間２２Ｓを設けて、接合部２１Ｎと２２Ｎの組付け時の回
転動作によって本体２２の上部が電池２５に接触しない構造にしている。
【００１６】
照明具ＩＩ  は、接合部２１Ｎと２２Ｎを螺合一体化した後、前記固定部２１Ｆと２２Ｆを使って石突きに固定して光る傘化する。
上記により光る傘化した前記普通の傘は、前実施例同様の安全性を有するものになる。
なお、前実施例と重複する部分の説明は省略した。
【産業上の利用可能性】
【００１７】
本考案は、普通の傘を光る傘化して傘の視認性を向上すると共に、スイッチＯＮ、ＯＦＦの手間を減らして利便性を高めた傘用の照明具として用いられる。
【符号の説明】
【００１８】
Ｉ・・・実施例１の照明具
ＩＩ・・・実施例２の照明具
１・・・実施例１の発光部
１Ｅ・・・内部空間
１Ｅt・・・内部空間の凸部
１Ｎ・・・本体接合部
２・・・本体
２Ｎ・・・接合部
２Ｍ・・・石突き接合部
３・・・ＬＥＤ光源（赤色）
４Ｄ・・・電源スイッチ
４Ｋ・・・角度スイッチ
５・・・電池
５Ｃ・・・電池ケース
２１・・・実施例２の発光部
２１Ｃ・・・透明カバー
２１Ｆ・・・固定具
２１Ｒ・・・導光体
２１Ｎ・・・接合部
２１Ｈ・・・発光部の連通穴
２２・・・本体
２２Ｆ・・・固定具
２２Ｈ・・・本体の連通穴
２２Ｎ・・・接合部
２２Ｓ・・・空間
２３・・・光源付き導光体
２４Ｄ・・・電源スイッチ
２４Ｋ・・・角度スイッチ
２５・・・電池
【図１】
0003190470.tif 000003
【図２】
0003190470.tif 000004
【図３】
0003190470.tif 000005
【図４】
0003190470.tif 000006
【図５】
0003190470.tif 000007
【図６】
0003190470.tif 000008
【手続補正書】
【提出日】平成26年2月4日(2014.2.4)
【手続補正１】
【補正対象書類名】実用新案登録請求の範囲
【補正対象項目名】全文
【補正方法】変更
【補正の内容】
【実用新案登録請求の範囲】
【請求項１】
傘の石突き部と，底部に傘の石突きをネジ止めするネジ部と螺合するネジ穴が設けられている本体部とこれに結合した発光部とを有することを特徴とする傘用照明具。
【請求項２】
前記発光部は、光源と、電源スイッチとを内蔵することを特徴とする請求項１に記載の傘用照具。
【請求項３】
前記発光部は、光源と、電源スイッチとを内蔵し、前記本体部と前記発光部には傘の石突きを挿入して固定する連通穴が設けられていることを特徴とする請求項１に記載の傘用照具。
【請求項４】
傘のシャフトの角度が水平に対し仰角のときはＯＮし、俯角のときはＯＦＦする機能を有する角度スイッチを更に内蔵することを特徴とする請求項１〜３のいずれか一項に記載の傘用照具。
【請求項５】
本体部と発光部が融着一体化していることを特徴とする請求項１〜４のいずれか一項に記載の傘用照具。
【手続補正書】
【提出日】平成26年3月7日(2014.3.7)
【手続補正１】
【補正対象書類名】実用新案登録請求の範囲
【補正対象項目名】全文
【補正方法】変更
【補正の内容】
【実用新案登録請求の範囲】
【請求項１】
傘の石突き部と，底部に傘の石突きをネジ止めするネジ部と螺合するネジ穴が設けられている本体部とこれに結合した発光部とを有することを特徴とする傘用照明具。
【請求項２】
前記発光部は、光源と、電源スイッチとを内蔵することを特徴とする請求項１に記載の傘用照明具。
【請求項３】
前記発光部は、光源と、電源スイッチとを内蔵し、前記本体部と前記発光部には傘の石突きを挿入して固定する連通穴が設けられていることを特徴とする請求項１に記載の傘用照明具。
【請求項４】
傘のシャフトの角度が水平に対し仰角のときはＯＮし、俯角のときはＯＦＦする機能を有する角度スイッチを更に内蔵することを特徴とする請求項１〜３のいずれか一項に記載の傘用照明具。
【請求項５】
本体部と発光部が融着一体化していることを特徴とする請求項１〜４のいずれか一項に記載の傘用照明具。